(57)【特許請求の範囲】
【請求項１】
巻線を巻装した固定子鉄心を含む固定部材を絶縁樹脂にてモールド一体成形した固定子と、
シャフトを中心に前記固定子に対向して配置された回転子と、
前記シャフトを回転自在に支持する２つの軸受と、
前記軸受を固定するブラケットと、
前記巻線に電流を流し、回転子を駆動する駆動回路を実装した駆動回路基板とを備え、
前記２つの軸受のうち、軸電流が大きくなる側の軸受の外輪と内輪との間を電気的に絶縁状態にしたことを特徴とする電動機。
【請求項２】
前記軸受は、外輪と内輪との間に複数個配置される転動体を有し、
前記軸電流が大きくなる側の軸受において、その外輪、その内輪およびその転動体のうち、少なくとも１つを電気的絶縁材料によって形成したことを特徴とする請求項１に記載の電動機。
【請求項３】
前記電気的絶縁材料が、セラミックス材料であることを特徴とする請求項２に記載の電動機。
【請求項４】
前記２つの軸受のうち、一方の軸受を前記ブラケットに固定し、他方の軸受を前記絶縁樹脂に固定したことを特徴とする請求項１に記載の電動機。
【請求項５】
前記２つの軸受を、大きさの異なったそれぞれのブラケットに固定したことを特徴とする請求項１に記載の電動機。
【請求項６】
前記ブラケットは金属製であることを特徴とする請求項４または５のいずれか１項に記載の電動機。
【請求項７】
請求項１から６のいずれか１項に記載の電動機を搭載したことを特徴とする電気機器。
【発明の詳細な説明】
【技術分野】
【０００１】
本発明は、電動機およびそれを備えた電気機器に関する。特に、軸受の電食に起因する電動機の劣化を抑制するように改良された電動機およびそれを備えた電気機器に関する。
【背景技術】
【０００２】
近年、電動機はパルス幅変調（Ｐｕｌｓｅ  Ｗｉｄｔｈ  Ｍｏｄｕｌａｔｉｏｎ）方式（以下、ＰＷＭ方式という）のインバータにより駆動する方式を採用するケースが多くなってきている。こうしたＰＷＭ方式のインバータ駆動の場合、巻線の中性点電位が零とならないため、軸受の外輪と内輪間に電位差（以下、軸電圧という）を発生させる。軸電圧は、スイッチングによる高周波信号を含んでおり、軸電圧が軸受内部の油膜の絶縁破壊電圧に達すると、軸受内部に微小電流（以下、軸電流という）が流れ軸受内部に電食が発生する。電食が進行した場合、軸受内輪、軸受外輪または軸受ボールである転動体に波状摩耗現象が発生して異常音に至ることがあり、電動機における不具合の主要因の１つとなっている。【０００３】
従来、電食を抑制するためには、以下のような対策が考えられている。【０００４】
（１）軸受内輪と軸受外輪を導通状態にする。【０００５】
（２）軸電圧を低減する。【０００６】
（３）軸受内輪と軸受外輪を絶縁状態にする。【０００７】
上記（１）の具体的方法としては、軸受の潤滑剤を導電性にすることが挙げられる。但し、導電性潤滑剤は、時間経過とともに導電性が悪化することや摺動信頼性に欠けるなどの課題がある。また、回転軸にブラシを設置し、導通状態にする方法も考えられるが、この方法もブラシ摩耗粉やスペースが必要となるなどの課題がある。【０００８】
上記（２）の具体的方法としては、固定子鉄心と導電性を有した金属製のブラケットとを電気的に短絡させることで、静電容量を変化させて軸電圧を低減する方法が、従来、公知である（例えば、特許文献１参照）。【０００９】
特許文献１では、固定子鉄心とブラケットとを短絡させることにより、固定子側のインピーダンスを低くし、これによって軸受の電食を抑制している。【００１０】
すなわち、一般的に、洗濯機や食器洗い乾燥機などの水まわりで使用され、感電のおそれのある電動機は、充電部の絶縁（基礎絶縁）以外に、独立した絶縁を追加（以下、付加絶縁という）する必要がある。一方、これ以外のエアコン室内機、エアコン室外機、給湯機、空気清浄機などに使用される電動機は、感電のおそれがないため、付加絶縁は必要としない。したがって、エアコン室内機、エアコン室外機、給湯機、空気清浄機などに使用される電動機は、回転子を絶縁構造としていないため、回転子側（軸受内輪側）のインピーダンスは、低い状態にある。それに対して、固定子側（軸受外輪側）は、絶縁構造となっているため、インピーダンスは高い状態にある。この場合、軸受内輪側の電位は高いのに対して軸受外輪側の電位は低いためアンバランス状態となり、高い軸電圧が発生してしまうこととなる。そして、このような高い軸電圧により軸受に電食が発生する可能性があった。【００１１】
このような状態を避けるために、特許文献１は、固定子鉄心とブラケットとを短絡させることで、その間の静電容量成分をなくし、上述したように固定子側（軸受外輪側）のインピーダンスを低くしている。そして、固定子側のインピーダンスを回転子側（軸受内輪側）のインピーダンスに近似させることで、軸受の内外輪間の電位差である軸電圧も低くしている。【００１２】
ところが、特許文献１のような方法は、インピーダンスを低くするので電圧降下が少なくなり、軸受の内輪側の電圧に加えて外輪側の電圧も高くなる。このため、電動機の使用環境や固定子と回転子の組立精度バラツキなどによって、インピーダンスのバランスが崩れてしまうと、逆に軸電圧が高くなりやすく電食も発生しやすくなってしまうというケースも可能性として考察された。【００１３】
上記（３）の具体的方法としては、電動機に使用される複数個の軸受全てに対して、内部の鉄転動体を電気的絶縁材であるセラミックスに変更することが従来、公知である（例えば、特許文献２参照）。この方法は、電食抑制の効果は非常に高いが、コストが高くなるという課題があった。【００１４】
ところで、近年、例えば特許文献１にも開示されているように、固定子側の固定子鉄心などの固定部材をモールド材などで一体にモールドして、信頼性を高めたモールド電動機が提案されている。さらに、モールドの一部分である樹脂ハウジングで軸受も固定するような構造とすることにより、簡易な構成でモールド電動機を実現できる。一方、軸受を固定する強度を考えた場合、樹脂などのモールド材による固定に比べて、金属製のブラケットによる固定のほうが強度的に勝っている。このため、近年では、電動機に要求される固定強度に応じて、軸受が、選択的に金属製ブラケットやモールド材により固定されている。すなわち、例えば、軸受の固定強度があまり要求されない反出力軸側においては一体成形するモールドの一部分で軸受を固定し、固定強度が要求される出力軸側においては金属製のブラケットで軸受を固定するようなモールド電動機が提案されている。【００１５】
しかしながら、電動機は通常２つの軸受でシャフトを支持するが、上述したモールド電動機のように片側の軸受を金属製のブラケットで固定し、反対側の軸受を樹脂ハウジングで固定した場合、電食の発生という観点から、次のような課題があった。すなわち、金属製のブラケットは導電性であるのに対して、樹脂ハウジングは強固な絶縁性能を有している。このため、樹脂ハウジング側の軸受の内外輪間には、軸電流が流れにくいのに対し、導電性であるブラケット側では絶縁性能が低下し軸受の内外輪間に軸電流が流れやすい状態となり、ブラケット側の軸受に電食が発生しやすくなってしまうというような状況が考察される。このように、例えば２つの軸受の固定部材の材質が異なると、一方の軸受に集中して電食が発生しやすくなるという課題があった。さらには、例えば、２つの軸受をそれぞれ金属製のブラケットで固定した場合でも、ブラケットの大きさや位置によって絶縁性能がアンバランスとなり、一方の軸受に電食が集中しやすくなるおそれがあった。このような現象が生じると、電動機の寿命は一方の軸受に依存してしまうことになる。
【先行技術文献】
【特許文献】
【００１６】
【特許文献１】特開２００７−１５９３０２号公報
【特許文献２】特開２００７−１６８４６号公報
【発明の概要】
【００１７】
本発明は、軸受の電食に起因する電動機の劣化を抑制した電動機およびそれを備えた電気機器を提供する。
【００１８】
本発明の電動機は、巻線を巻装した固定子鉄心を含む固定部材を絶縁樹脂にてモールド一体成形した固定子と、シャフトを中心に固定子に対向して配置された回転子と、シャフトを回転自在に支持する２つの軸受と、軸受を固定するブラケットと、巻線に電流を流し、回転子を駆動する駆動回路を実装した駆動回路基板とを備え、２つの軸受のいずれか片側の軸受の外輪と内輪との間を電気的に絶縁状態にした構成である。
【００１９】
また、本発明の電動機は、軸受が、外輪と内輪との間に複数個配置される転動体を有し、片側の軸受において、その外輪、その内輪およびその転動体のうち、少なくとも１つを電気的絶縁材料によって形成した構成である。
【００２０】
このような構成により、絶縁状態にした片側の軸受には軸電流が流れにくくなり、電食による劣化の進行を抑えることができる。すなわち、電食が発生しやすい片側の軸受にはこのような絶縁状態にした軸受を使用し、電食が発生しにくい側の軸受には一般的な鉄転動体を有した軸受を使用することで、軸受の電食による互いの寿命を近似させることができる。その結果、電動機の寿命を延ばすことができる。
【００２１】
また、本発明の電動機は、２つの軸受のうち、一方の軸受をブラケットに固定し、他方の軸受を絶縁樹脂に固定した構成である。
【００２２】
また、本発明の電動機は、２つの軸受を、大きさの異なったそれぞれのブラケットに固定した構成であってもよい。
【００２３】
このような構成により、２つの軸受に対する絶縁性能がアンバランスであっても、電食が発生しやすい片側の軸受には絶縁状態にした軸受を使用し、電食が発生しにくい側の軸受には一般的な鉄転動体を有した軸受を使用することで、軸受の電食による互いの寿命を近似させることができ、軸受の電食に起因する電動機の劣化を抑制できる。
【００２４】
また、本発明の電気機器は、上述した電動機を搭載している。
【００２５】
以上のように、本発明の電動機およびそれを備えた電気機器によれば、２つの軸受の電食による互いの寿命を近似させることができ、電動機としての寿命を延ばすことができる。
【図面の簡単な説明】
【００２６】
【図１】図１は、本発明の実施の形態１における電動機の断面を示した構造図である。
【図２】図２は、本発明の実施の形態１における他の構成の電動機の断面を示した構造図である。
【図３】図３は、本発明の実施の形態２における電気機器の例としてのエアコン室内機の構成を示した模式図である。
【発明を実施するための形態】
【００２７】
以下、本発明の電動機およびそれを備えた電気機器について、図面を用いて説明する。
【００２８】
（実施の形態１）
図１は、本発明の実施の形態１における電動機の断面を示した構造図である。本実施の形態では、電気機器としてのエアコン用に搭載され、室内機の送風ファンを駆動するためのブラシレスモータである電動機の一例を挙げて説明する。また、本実施の形態では、回転子が固定子の内周側に回転自在に配置されたインナロータ型の電動機の例を挙げて説明する。
【００２９】
図１において、固定子鉄心１１には、固定子鉄心１１を絶縁する樹脂であるインシュレータ２２が介在して、巻線としての固定子巻線１２が巻装されている。そして、このような固定子鉄心１１は、他の固定部材とともにモールド材としての絶縁樹脂１３にてモールド成形されている。本実施の形態では、これらの部材をこのようにモールド一体成形することにより、外形が概略円筒形状をなす固定子１０が構成されている。
【００３０】
固定子１０の内側には、空隙を介して回転子１４が挿入されている。回転子１４は、回転子鉄心３１を含む円板状の回転体３０と、回転体３０の中央を貫通するようにして回転体３０を締結したシャフト１６とを有している。回転子鉄心３１は、固定子１０の内周側に対向して周方向に複数の永久磁石を保持している。図１では、回転子鉄心３１と永久磁石であるフェライト樹脂磁石３２とが一体成形された構成例を示している。このように、固定子１０の内周側と回転体３０の外周側とが対向するように配置されている。
【００３１】
回転子１４のシャフト１６には、シャフト１６を支持する２つの軸受１５が取り付けられている。軸受１５は、外輪と内輪との間に複数の転動体を有した円筒形状のベアリングであり、軸受１５の内輪側がシャフト１６に固定されている。図１では、シャフト１６がブラシレスモータ本体から突出した側となる出力軸側において、軸受１５ａがシャフト１６を支持し、その反対側（以下、反出力軸側と呼ぶ）において、軸受１５ｂがシャフト１６を支持している。そして、出力軸側の軸受１５ａは、導電性を有した金属製のブラケット１７により、その外輪側が固定されている。また、反出力軸側の軸受１５ｂは、モールド一体成形する絶縁樹脂１３により、その外輪側が固定されている。以上のような構成により、シャフト１６が２つの軸受１５に支承され、回転子１４が回転自在に回転する。
【００３２】
さらに、このブラシレスモータには制御回路を含めた駆動回路を実装する駆動回路基板１８が内蔵されている。この駆動回路基板１８を内蔵したのち、ブラケット１７を固定子１０に圧入することにより、ブラシレスモータが形成される。
【００３３】
また、駆動回路基板１８には、巻線の電源電圧、制御回路の電源電圧、および回転数を制御する制御電圧を印加するリード線やグランド線５１などを含む接続線５０が接続されている。接続線５０に含まれるグランド線５１は、駆動回路基板１８上のグランドに接続される。グランドは、駆動回路基板１８において、ゼロボルトとする基準電位を設定しておくためのゼロ電位基準であり、駆動回路基板１８上にグランド配線として配線パターンが配置されている。すなわち、接続線５０に含まれるグランド線５１は、駆動回路基板１８上のグランド配線に接続される。
【００３４】
なお、駆動回路を実装した駆動回路基板１８上のグランドは、大地のアースおよび１次側（電源）回路とは絶縁され、大地のアースおよび１次側電源回路の電位とは、フローティングされた状態である。駆動回路が実装された駆動回路基板１８に接続される巻線の電源電圧供給する電源回路、制御回路の電源電圧を供給する電源回路、制御電圧を印加するリード線およびグランド線５１などは、１次側回路と接続された大地のアースと電気的に絶縁されている。すなわち、これら電源回路などは、巻線の電源電圧を供給する電源回路に対する１次側（電源）回路、制御回路の電源電圧を供給する電源回路に対する１次側（電源）回路、これら１次側（電源）回路と接続された大地のアースおよび独立して接地された大地のアースのいずれとも電気的に絶縁されている。つまり、１次側（電源）回路電位および大地のアースの電位に対して、駆動回路基板１８に実装された駆動回路は電気的に絶縁された状態であることから、電位が浮いた状態となっている。これは電位がフローティングされた状態とも表現され、よく知られている。また、このようなことから、駆動回路基板１８に接続される巻線の電源電圧を供給する電源回路および制御回路の電源電圧を供給する電源回路の構成は、フローティング電源とも呼称され、これもよく知られた表現である。
【００３５】
そして、本実施の形態のブラシレスモータは、出力軸側の軸受１５ａの外輪４１と内輪４２とを電気的に絶縁状態にするために、２つの軸受１５のうち、片側の軸受１５ａの転動体４０を電気的絶縁材料であるセラミックス材料で構成したことを特徴としている。一方、軸受１５ｂは、内輪、外輪および転動体が一般的な鉄材料により形成されている。すなわち、本実施の形態のブラシレスモータは、２つの軸受１５のうち、外輪４１と内輪４２との間を電気的に絶縁状態にした一方の軸受１５ａを金属製のブラケット１７に固定し、他方の軸受１５ｂを絶縁樹脂１３に固定している。
【００３６】
以上のように構成された本ブラシレスモータに対して、接続線５０を介して各電源電圧および制御信号を供給することにより、駆動回路基板１８の駆動回路によって固定子巻線１２に駆動電流が流れ、固定子鉄心１１から磁界が発生する。そして、固定子鉄心１１からの磁界とフェライト樹脂磁石３２からの磁界とにより、それら磁界の極性に応じて吸引力および反発力が生じ、これらの力によってシャフト１６を中心に回転子１４が回転する。
【００３７】
次に、本ブラシレスモータのより詳細な構成について説明する。
【００３８】
まず、本ブラシレスモータは、上述したように、シャフト１６が２つの軸受１５で支持されるとともに、一方の軸受１５ａは金属製のブラケット１７により固定され、他方の軸受１５ｂは絶縁樹脂１３により固定されている。
【００３９】
具体的には、まず、反出力軸側の軸受１５ｂに対して、軸受１５ｂの外周径とほぼ等しい絶縁樹脂１３の中空円筒部により固定している。すなわち、図１に示すように、反出力軸側における絶縁樹脂１３の形状は、本ブラシレスモータ本体から反出力軸方向へと突出する本体突出部１３ａを有した形状である。本体突出部１３ａの内側は中空円筒状となる形状を有している。この中空円筒状の中空円筒部の径は軸受１５ｂの外周径とほぼ等しく、この中空円筒部に軸受１５ｂを挿入することにより、軸受１５ｂは絶縁樹脂１３に固定されることになる。このようにして、この本体突出部１３ａの本体内部側に、軸受１５ｂを配置している。
【００４０】
次に、出力軸側の軸受１５ａに対しては、固定子１０の外周径とほぼ等しい外周径のブラケット１７により固定している。ブラケット１７は概略円板形状であり、円板の中央部に軸受１５ａの外周径とほぼ等しい径の突出部を有しており、この突出部の内側は中空となっている。駆動回路基板１８を内蔵したのち、このようなブラケット１７の突出部の内側を軸受１５ａに挿入するとともに、ブラケット１７の外周に設けた接続端部と固定子１０の接続端部とが嵌合するように、ブラケット１７を固定子１０に圧入することにより、本ブラシレスモータが形成される。このように構成することで、組立作業の容易化を図るとともに、軸受１５ａの外輪側は金属製のブラケット１７に固定されるため、軸受１５ａを強固に固定できる。
【００４１】
ところで、以上のように構成されたブラシレスモータを電気的にみると、まず、軸電圧を発生させる信号の発生源としては、ＰＷＭ方式の高周波のスイッチングで駆動される固定子巻線１２を巻装した固定子鉄心１１が主な発生源と考えられる。そして、上述したように、回転子側（軸受内輪側）のインピーダンスは低く、固定子側（軸受外輪側）は高い状態にある。すなわち、回転子側のインピーダンスとして、固定子鉄心１１から軸受１５の内輪までの間を考えると、固定子鉄心１１と回転体３０とはわずかな空隙を介して対面しているとともに、回転体３０およびシャフト１６は導電体であるため、この間のインピーダンスは低い状態といえる。さらに、この間のインピーダンスは低いため、固定子鉄心１１から発生した高周波信号は減衰せずに軸受１５の内輪に達し、その結果、軸受１５の内輪には高電位の高周波の電圧が生じるものと考えられる。
【００４２】
これに対し、固定子側のインピーダンスとして、固定子鉄心１１から軸受１５の外輪までの間を考えると、例えば軸受１５ｂの外輪に接続された絶縁樹脂１３の本体突出部１３ａは、固定子鉄心１１からある程度の間隔を持って導電性の材料などを介さずに配置されるため、この間のインピーダンスは高い状態といえる。また、軸受１５ａの外輪４１に接続された金属製のブラケット１７は、導電体であるため、軸受１５ａ側のインピーダンスは、軸受１５ｂ側のインピーダンスよりは低くなっている。さらに、これらの間のインピーダンスは回転子側のインピーダンスよりは高い。このため、固定子鉄心１１から発生した高周波電流は減衰して軸受１５の外輪に達し、その結果、軸受１５の外輪には回転子側より低電位の高周波電圧が生じるものと考えられる。
【００４３】
すなわち、固定子側と回転子側とを比較したとき、固定子側と回転子側とのインピーダンスがアンバランス状態であるため、軸受１５の内輪と外輪との間に電位差、すなわち軸電圧が生じ、軸受１５に軸電流が流れることになる。そして、このような軸電流の流れによって内輪と外輪との間での摩耗が加速され、電食と呼ばれる摩耗劣化が進行すると考えられる。
【００４４】
さらに、金属製のブラケット１７で固定した軸受１５ａと絶縁樹脂１３で固定した軸受１５ｂとを比較したとき、両軸受１５とも鉄転動体を配置したと仮定すると、軸受１５ｂよりもインピーダンスが低い側となる軸受１５ａのほうの軸電流が多く流れるものと考察される。
【００４５】
このように、固定子側（軸受外輪側）の構成が異なるため、出力軸側の軸受１５ａと反出力軸側の軸受１５ｂとのインピーダンスがアンバランス状態となり、２つの軸受１５に流れる軸電流の値は各々で異なることになる。そして、絶縁樹脂１３で固定された軸受１５ｂの内外輪間には軸電流が流れにくいのに対し、導電性であるブラケット１７で固定された軸受１５ａの内外輪間には、軸電流が流れやすくなる状況が考えられる。
【００４６】
このため、本実施の形態のブラシレスモータは、同一軸受で比較した場合に軸電流が大きくなると考えられる側の軸受、すなわち軸受１５ａの転動体４０をセラミックス材料とし、軸受１５ａの外輪４１と内輪４２との間の電気的な絶縁を強固にしている。これによって、軸受１５ａの内外輪間に流れる軸電流を抑制できるため、軸電流によって生じる電食の進行を抑えることが可能になる。一方、軸受１５ｂの内外輪間には軸電流が流れにくい構造であるため、軸受１５ｂの転動体を一般的な鉄転動体としても電食は発生しにくい。よって、電食によって軸受が劣化するまでの寿命を考えた場合、軸受１５ａと軸受１５ｂとの互いの寿命が近似することになるため、結果として本ブラシレスモータの寿命を延ばすことができる。さらに、一方の軸受のみにセラミックス材料の転動体を用いればよいため、軸受全てにセラミックス材料の転動体を用いるような構成に比べて、コストを抑えることができる。
【００４７】
以上説明したように、本発明の電動機は、巻線を巻装した固定子鉄心を含む固定部材を絶縁樹脂にてモールド一体成形した固定子と、シャフトを中心に固定子に対向して配置された回転子と、シャフトを回転自在に支持する２つの軸受と、軸受を固定するブラケットと、巻線に電流を流し、回転子を駆動する駆動回路を実装した駆動回路基板とを備え、２つの軸受のいずれか片側の軸受の外輪と内輪との間を電気的に絶縁状態にした構成である。このため、セラミックス材料などを用いて絶縁状態にした片側の軸受には軸電流が流れにくくなり、電食による劣化の進行を抑えることができる。これによって、この片側の軸受の寿命を、一般的な鉄転動体を有した他方側の軸受の寿命に近似させることができ、その結果、電動機としての寿命を延ばすことができる。したがって、本発明の電動機によれば、軸受の電食に起因する電動機の劣化を抑制した電動機を提供できる。
【００４８】
なお、以上の説明では、出力軸側の軸受１５ａに流れる軸電流が、反出力軸側の軸受１５ｂに流れる軸電流より大きいため、軸受１５ａの転動体４０をセラミックス材料とした一例を挙げて説明した。しかし、例えば、軸受１５ａを固定するブラケット１７の大きさや形状、さらには、固定子鉄心１１から軸受１５ａまでの間隔と軸受１５ｂまでの間隔との差、その間の絶縁樹脂１３の状態など、構造によって、出力軸側の軸受１５ａと反出力軸側の軸受１５ｂとのインピーダンスは異なる。すなわち、上述した例とは逆に、同一軸受での比較において、金属製のブラケットで固定した側の軸受に流れる軸電流のほうが小さくなるような場合もあり得る。このため、その際には、金属製のブラケットで固定しない側の軸受の転動体をセラミックス材料にすることは言うまでもない。
【００４９】
また、以上の説明では、２つの軸受１５のうち、軸受１５ａのみを金属製のブラケット１７で固定するような一例を挙げて説明したが、例えば、２つの軸受１５それぞれを金属製のブラケットで固定するような構成であってもよい。
【００５０】
図２は、本発明の実施の形態１における他の構成の電動機の断面を示した構造図である。図２では、２つの軸受１５それぞれを金属製のブラケットで固定するような構成例を示している。すなわち、図２に示すように、反出力軸側の軸受１５ｂは、ブラケット１７よりも径の小さいブラケット１９を介して絶縁樹脂１３に固定されている。このように、２つの軸受１５それぞれを金属製のブラケットで固定するような構成であっても、ブラケットの大きさなどや電動機の構造によって、出力軸側の軸受１５ａと反出力軸側の軸受１５ｂとのインピーダンスは異なり、軸電流も異なることになる。すなわち、このような構成であっても、軸電流が大きくなるほうの軸受の転動体をセラミックス材料にすればよい。
【００５１】
また、以上の説明では、軸受１５の転動体をセラミックス材料にする構成としているが、外輪、内輪のいずか一方、もしくは転動体を含む全てを電気的絶縁材料として、例えばセラミックス材料とする場合においても、同様の効果が得られる。
【００５２】
また、以上の説明では、回転子が固定子の内周側に回転自在に配置されたインナロータ型の電動機の例を挙げて説明したが、回転子が固定子の外周側に配置されたアウタロータ型、さらには内外周両側に回転子を配置したツインロータ型の電動機において上述したように軸電流が大きいほうの軸受の外輪と内輪を電気的に絶縁状態にする構成とすることによっても、同様の効果を得ることができる。
【００５３】
（実施の形態２）
本実施の形態では、本発明における電気機器の例としてエアコン室内機の構成について説明する。
【００５４】
図３は、本発明の実施の形態２における電気機器の例としてのエアコン室内機の構成を示した模式図である。
【００５５】
図３において、エアコン室内機２１０の筐体２１１内にはブラシレスモータ２０１が搭載されている。そのブラシレスモータ２０１の回転軸にはクロスフローファン２１２が取り付けられている。ブラシレスモータ２０１はモータ駆動装置２１３によって駆動される。モータ駆動装置２１３からの通電により、ブラシレスモータ２０１が回転し、それに伴いクロスフローファン２１２が回転する。そのクロスフローファン２１２の回転により、室内機用熱交換器（図示せず）によって空気調和された空気を室内に送風する。ここで、ブラシレスモータ２０１は、例えば、上記実施の形態で示す電動機が適用できる。
【００５６】
本発明の電気機器は、ブラシレスモータと、そのブラシレスモータが搭載された筐体とを備え、ブラシレスモータとして上記構成の本発明の電動機を採用したものである。
【００５７】
以上の説明では、本発明にかかる電気機器の実施例として、エアコン室内機に搭載されるブラシレスモータを取り上げたが、その他の電気機器に搭載される電動機、例えば、各種家電用機器に使用されるブラシレスモータや、各種情報機器に搭載されるブラシレスモータ、産業機器に使用されるブラシレスモータにも適用できる。
【産業上の利用可能性】
【００５８】
本発明の電動機は、電食に起因する電動機の劣化を抑制できるため、主に電動機の高寿命化および低価格化が要望される機器で、例えばエアコン室内機、エアコン室外機、給湯機、空気清浄機などに搭載される電動機に有効である。
【符号の説明】
【００５９】
１０    固定子
１１    固定子鉄心
１２    固定子巻線
１３    絶縁樹脂
１３ａ    本体突出部
１４    回転子
１５，１５ａ，１５ｂ    軸受
１６    シャフト
１７，１９    ブラケット
１８    駆動回路基板
２２    インシュレータ
３０    回転体
３１    回転子鉄心
３２    フェライト樹脂磁石
４０    転動体
４１    外輪
４２    内輪
５０    接続線
５１    グランド線
２０１    ブラシレスモータ
２１０    エアコン室内機
２１１    筐体
２１２    クロスフローファン
２１３    モータ駆動装置
【図１】
0005397466.tif 000002
【図２】
0005397466.tif 000003
【図３】
0005397466.tif 000004